(57)【要約】【課題】隣接する屋内空間の間で遮音性能の低下を抑制しながら通気性能を確保することができる建物の通気構造を提供する。【解決手段】二世帯住宅において間仕切壁４７を隔てて隣接する共用リビング４１及び廊下空間３６の天井部には下がり天井を形成する天井面材７２ａ，７２ｂが設けられ、それら天井面材７２ａ，７２ｂの上方には天井裏空間７４ａ，７４ｂが形成されている。これら各天井裏空間７４ａ，７４ｂには、両天井裏空間７４ａ，７４ｂに跨がって空調ダクト６２が設けられている。各天井面材７２ａ，７２ｂには通気グリル９２，９４が設けられ、各天井裏空間７４ａ，７４ｂにはそれら両空間７４ａ，７４ｂに跨がって通気部材８０が設けられている。通気部材８０は、各通気グリル９２，９４に接続されている。通気部材８０の内部には、共用リビング４１と廊下空間３６との間で空気を流通させる通気路８９が形成されている。【選択図】      図８
2018016997.tif 000002
【特許請求の範囲】
【請求項１】
屋内空間として、間仕切壁を隔てて隣接する第１空間部及び第２空間部を備え、
前記第１空間部の天井部には下がり天井を形成する第１天井面材が設けられ、その第１天井面材の上方には第１天井裏空間が形成され、
前記第２空間部の天井部には下がり天井を形成する第２天井面材が設けられ、その第２天井面材の上方には第２天井裏空間が形成され、
前記第１天井裏空間と前記第２天井裏空間とには、それら各天井裏空間に跨がって延びる通気ダクトが設けられている建物に適用され、
前記第１天井面材に設けられた第１通気口と、
前記第２天井面材に設けられた第２通気口と、
それら各通気口にそれぞれ接続されるとともに、前記第１天井裏空間及び前記第２天井裏空間に跨がって設けられた通気部材とを備え、
前記通気部材の内部には、前記第１空間部と前記第２空間部との間で空気を流通させる通気路が形成されていることを特徴とする建物の通気構造。
【請求項２】
前記通気部材は、前記通気路に面して設けられた吸音材を有していることを特徴とすることを特徴とする請求項１に記載の建物の通気構造。
【請求項３】
前記通気部材は、
前記第１天井裏空間に設けられ、前記第１通気口と接続された第１チャンバと、
前記第２天井裏空間に設けられ、前記第２通気口と接続された第２チャンバと、
前記第１チャンバと前記第２チャンバとを接続する接続管部と、を有していることを特徴とすることを特徴とする請求項１又は２に記載の建物の通気構造。
【請求項４】
前記第１チャンバと前記第２チャンバとは、前記通気ダクトが前記第１天井裏空間と前記第２天井裏空間とに跨がって延びるダクト延在方向に並んで配置されていることを特徴とする請求項３に記載の建物の通気構造。
【請求項５】
前記第１チャンバと前記第２チャンバとはいずれも前記第１天井裏空間と前記第２天井裏空間との境界部に隣接して配置されていることを特徴とする請求項４に記載の建物の通気構造。
【請求項６】
空調空気を生成する空調装置を備え、その空調装置より空調対象の前記屋内空間である空調空間に前記通気ダクトを介して空調空気が供給されることで当該空調空間の空調が行われる建物に適用され、
前記建物には、前記空調空間に供給された空調空気が前記空調装置へ還流する還流経路が設けられ、
前記還流経路は、前記通気路を経由する経路となっていることを特徴とする請求項１乃至５のいずれか一項に記載の建物の通気構造。
【請求項７】
前記第１空間部と前記第２空間部との間の出入口にはドアが設けられており、
そのドアの下部には前記第１空間部と前記第２空間部とを連通する通気口が設けられ、
前記還流経路として、前記通気路を経由する経路に加え、前記通気口を経由する経路が設けられていることを特徴とする請求項６に記載の建物の通気構造。
【請求項８】
前記第１空間部は、その床部として、通常高さの床部よりも低い位置にあるスキップ床部を有しており、
その第１空間部が前記空調装置より空調空気が供給される前記空調空間とされ、その供給される空調空気が前記第１空間部から前記第２空間部側に前記通気路を通じて還流する構成となっていることを特徴とする請求項６又は７に記載の建物の通気構造。
【請求項９】
前記建物は、
第１世帯が居住する第１居住部と、
第２世帯が居住する第２居住部と、
前記第１世帯と前記第２世帯とが共用する共用空間とを有する二世帯住宅であり、
前記第１居住部には、前記共用空間に隣接する隣接空間が設けられ、
前記第１空間部は、前記共用空間であり、
前記第２空間部は、前記隣接空間であることを特徴とする請求項１乃至８のいずれか一項に記載の建物の通気構造。
【発明の詳細な説明】
【技術分野】
【０００１】
本発明は、建物の通気構造に関する。
【背景技術】
【０００２】
住宅等の建物では、共通の空調装置を用いて全館空調を行う全館空調システムが設けられている場合がある。全館空調システムでは、機械室に設置された空調装置が、その機械室内の空気を取り込んで空調空気（すなわち冷気又は暖気）を生成するとともに、その生成した空調空気を空調対象である複数の部屋へ通気ダクトを介して供給するようになっている。そして、その供給した空調空気によってそれら各部屋の冷暖房を行うようになっている。
【０００３】
全館空調システムが設けられた建物では、一般に各部屋に供給された空調空気が機械室へ還流する（戻る）還流経路が設けられている。この還流経路は、隣接する部屋間に形成された通気口を経由する経路となっており、この通気口は例えば出入口ドアのアンダーカット部等により形成されている。この場合、空調装置は機械室に還流した空気を取り込んで、空調空気を生成する。つまり、この場合、建物内において空調空気を循環させながら、各部屋の空調が行われることになる。
【０００４】
ところで、全館空調システムでは、空調ダクトが建物の天井裏に配設される場合がある。例えば、特許文献１には、建物の天井部において通常の天井高さよりも低い位置に天井面材を設けて下がり天井を形成し、その下がり天井上の天井裏空間に空調ダクトを配設した構成が開示されている。かかる構成によれば、通常高さの天井面材上の天井裏空間に空調ダクトを配設するスペースがない場合でも、空調ダクトを天井部に配設することが可能となる。
【先行技術文献】
【特許文献】
【０００５】
【特許文献１】特開２０１５−２００１０１号公報
【発明の概要】
【発明が解決しようとする課題】
【０００６】
ところで、上述した循環式の全館空調システムでは、隣接する部屋間において通気口（例えばアンダーカット部）を通じた通気量を十分に確保できない場合が想定される。その場合、建物内において空気の循環が上手く行われなくなり、空調効率の低下を招くおそれがある。
【０００７】
そこで、通気口の開口面積を大きくすることにより、部屋間にて所望の通気量を確保することが考えられる。しかしながら、そうすると、通気口を通じた部屋間の音漏れが生じ易くなり、遮音性能の低下が生じるおそれがある。
【０００８】
本発明は、上記事情に鑑みてなされたものであり、隣接する屋内空間の間で遮音性能の低下を抑制しながら通気性能を確保することができる建物の通気構造を提供することを主たる目的とするものである。
【課題を解決するための手段】
【０００９】
上記課題を解決すべく、第１の発明の建物の通気構造は、屋内空間として、間仕切壁を隔てて隣接する第１空間部及び第２空間部を備え、前記第１空間部の天井部には下がり天井を形成する第１天井面材が設けられ、その第１天井面材の上方には第１天井裏空間が形成され、前記第２空間部の天井部には下がり天井を形成する第２天井面材が設けられ、その第２天井面材の上方には第２天井裏空間が形成され、前記第１天井裏空間と前記第２天井裏空間とには、それら各天井裏空間に跨がって延びる通気ダクトが設けられている建物に適用され、前記第１天井面材に設けられた第１通気口と、前記第２天井面材に設けられた第２通気口と、それら各通気口にそれぞれ接続されるとともに、前記第１天井裏空間及び前記第２天井裏空間に跨がって設けられた通気部材とを備え、前記通気部材の内部には、前記第１空間部と前記第２空間部との間で空気を流通させる通気路が形成されていることを特徴とする。
【００１０】
本発明によれば、間仕切壁を隔てて隣接する第１空間部及び第２空間部の天井部にそれぞれ下がり天井を形成する天井面材が設けられ、それら天井面材上の天井裏空間（第１天井裏空間及び第２天井裏空間）に跨がって通気ダクトが配設されている。そして、本発明では、その通気ダクトの配設された下がり天井上の天井裏空間に着目し、その天井裏空間を利用して隣接する第１空間部及び第２空間部の間の通気を行うこととしている。
【００１１】
具体的には、第１空間部及び第２空間部それぞれの天井面材に通気口を設け、それら各通気口を接続する通気部材を第１天井裏空間及び第２天井裏空間に跨がって設けている。この場合、通気部材の内部に形成された通気路を通じて第１空間部と第２空間部との間で空気を流通させることができるため、それら各空間部の間に開口面積の大きい通気口を形成しなくても、各空間部の間で所望の通気量を確保することができる。これにより、隣接する各空間部の間で遮音性能の低下を抑制しながら、通気性能を確保することができる。
【００１２】
また、通気ダクトが配設される下がり天井上の天井裏空間を利用して通気部材を配設しているため、かかる天井裏の有効利用を図りながら、上述の効果を得ることができる。
【００１３】
第２の発明の建物の通気構造は、第１の発明において、前記通気部材は、前記通気路に面して設けられた吸音材を有していることを特徴とすることを特徴とする。
【００１４】
本発明によれば、通気部材が通気路に面して吸音材を有しているため、通気路を介して伝播する音を吸音材により吸収することができる。これにより、遮音性能の向上を図ることができる。
【００１５】
第３の発明の建物の通気構造は、第１又は第２の発明において、前記通気部材は、前記第１天井裏空間に設けられ、前記第１通気口と接続された第１チャンバと、前記第２天井裏空間に設けられ、前記第２通気口と接続された第２チャンバと、前記第１チャンバと前記第２チャンバとを接続する接続管部と、を有していることを特徴とする。
【００１６】
本発明によれば、通気部材が、第１通気口と接続される第１チャンバと、第２通気口と接続される第２チャンバと、それら各チャンバを接続する接続管部とを有している。この場合、第１チャンバ及び第２チャンバをそれぞれ第１天井裏空間及び第２天井裏空間の所定位置に配置し、それら各チャンバを接続管部を介して接続することで通気部材を構成することができる。かかる構成では、各チャンバの位置に応じて接続管部の長さを決める等するだけで通気部材を構成できるため、通気部材を比較的容易に構築することができる。
【００１７】
第４の発明の建物の通気構造は、第３の発明において、前記第１チャンバと前記第２チャンバとは、前記通気ダクトが前記第１天井裏空間と前記第２天井裏空間とに跨がって延びるダクト延在方向に並んで配置されていることを特徴とする。
【００１８】
本発明によれば、第１チャンバと第２チャンバとが通気ダクトの延在するダクト延在方向に並んで配置されているため、通気部材を通気ダクトに沿って配設することができる。下がり天井上の天井裏空間に通気ダクトが配設される構成では、天井裏空間が通気ダクトの配設経路に沿って形成されることが考えられるが、そのような場合でも、上記構成によれば、通気部材を好適に配設することができる。
【００１９】
第５の発明の建物の通気構造は、第４の発明において、前記第１チャンバと前記第２チャンバとはいずれも前記第１天井裏空間と前記第２天井裏空間との境界部に隣接して配置されていることを特徴とする。
【００２０】
本発明によれば、第１チャンバと第２チャンバとがいずれも第１天井裏空間と第２天井裏空間との境界部に隣接配置されているため、それら各チャンバを接続する接続管部の長さを極力短くすることができ、ひいては通気路の長さを極力短くすることができる。これにより、通気性能の向上を図ることができる。
【００２１】
第６の発明の建物の通気構造は、第１乃至第５のいずれかの発明において、空調空気を生成する空調装置を備え、その空調装置より空調対象の前記屋内空間である空調空間に前記通気ダクトを介して空調空気が供給されることで当該空調空間の空調が行われる建物に適用され、前記建物には、前記空調空間に供給された空調空気が前記空調装置へ還流する還流経路が設けられ、前記還流経路は、前記通気路を経由する経路となっていることを特徴とする。
【００２２】
本発明によれば、循環式の空調システムにおいて、空調装置より空調空間に供給された空調空気が同装置へ還流する還流経路が通気路を経由した経路となっている。この場合、隣接する屋内空間（第１空間部及び第２空間部）の間を経由して空調空気を還流させる構成にあって、それら両空間の間で遮音性能が低下するのを抑制しつつ所望の通気量を確保することができる。
【００２３】
第７の発明の建物の通気構造は、第１乃至第６のいずれかの発明において、前記第１空間部と前記第２空間部との間の出入口にはドアが設けられており、そのドアの下部には前記第１空間部と前記第２空間部とを連通する通気口が設けられ、前記還流経路として、前記通気路を経由する経路に加え、前記通気口を経由する経路が設けられていることを特徴とする。
【００２４】
本発明によれば、ドアの下部に第１空間部と第２空間部とを連通する通気口が設けられ、空調空気の還流経路として、上述した通気路を経由した経路に加え、通気口を経由した経路が設けられている。この場合、通気路は天井裏に設けられているのに対し通気口は床側に設けられているため、空調空気（冷気）が床側を流れ易い冷房時、空調空気（暖気）が天井側を流れ易い暖房時の双方にて第１空間部から第２空間部へ（又は第２空間部から第１空間部へ）好適に空調空気を導くことができる。
【００２５】
なお、通気口としては、ドアの下端側に形成されたアンダーカット部や、ドアの下部に形成されたガラリ等が挙げられる。
【００２６】
第８の発明の建物の通気構造は、第６又は第７の発明において、前記第１空間部は、その床部として、通常高さの床部よりも低い位置にあるスキップ床部を有しており、その第１空間部が前記空調装置より空調空気が供給される前記空調空間とされ、その供給される空調空気が前記第１空間部から前記第２空間部側に前記通気路を通じて還流する構成となっていることを特徴とする。
【００２７】
本発明によれば、第１空間部がスキップ床部を有した比較的気積の大きい空間とされているため、その第１空間部に空調空気を供給し空調を行うに際しては、空調空気の供給量が多くなると考えられる。この場合、それに伴い、供給された空調空気が空調装置へ還流する際の空気量も多くなるため、隣接する第１空間部と第２空間部との間を流れる空気の量も多くなると考えられる。そのため、その通気量を確保するために、ドア等に形成された通気口の開口面積を大きくするとなると、遮音性能が大きく低下してしまうおそれがある。その点本発明では、かかる構成に上記第６の発明を適用しているため、このような場合でも、遮音性能が大きく低下するのを回避しながら、通気量を確保することができる。
【００２８】
第９の発明の建物の通気構造は、第１乃至第８のいずれかの発明において、前記建物は、第１世帯が居住する第１居住部と、第２世帯が居住する第２居住部と、前記第１世帯と前記第２世帯とが共用する共用空間とを有する二世帯住宅であり、前記第１居住部には、前記共用空間に隣接する隣接空間が設けられ、前記第１空間部は、前記共用空間であり、前記第２空間部は、前記隣接空間であることを特徴とする。
【００２９】
第１世帯と第２世帯とが居住する二世帯住宅では、それら各世帯が共用する共用空間が設けられている場合がある。第１世帯が居住する第１居住部にその共用空間と隣接する隣接空間が設けられている場合、その共用空間と隣接空間との間では、遮音性能が特に求められると考えられる。そこで本発明では、この点に鑑み、それら両空間の間で通気を行うに際し、上記第１の発明を適用している。これにより、共用空間と隣接空間との間で遮音性能が低下するのを抑制しながら通気を確保することができる。
【図面の簡単な説明】
【００３０】
【図１】二世帯住宅を示す斜視図。
【図２】二階部分の間取りを示す平面図。
【図３】共用リビング及びその周辺の構成を示す縦断面図。
【図４】空調システムの構成を示す平面図。
【図５】下がり天井を形成する天井面材の配置を示す平面図。
【図６】空調ダクトの設置構成を拡大して示す縦断面図。
【図７】二階部分における空気の流れを示す平面図。
【図８】（ａ）が下がり天井上の天井裏空間に設けられた通気構造の構成を示す平面図であり、（ｂ）が同構成を示す縦断面図である。
【発明を実施するための形態】
【００３１】
以下に、本発明を具体化した一実施の形態について図面を参照しつつ説明する。本実施形態では、建物が子世帯と親世帯とが居住する二世帯住宅となっており、その二世帯住宅に本発明の通気構造を適用している。そこで、以下では、まずその二世帯住宅の構成について説明する。図１は二世帯住宅を示す斜視図である。
【００３２】
図１に示すように、二世帯住宅１０は、一階部分１１と二階部分１２と三階部分１３とを有する三階建てとなっている。二世帯住宅１０は、子世帯が居住する第１建物部１５と、親世帯が居住する第２建物部１６とを備えている。第１建物部１５は、一階部分１１、二階部分１２及び三階部分１３を有する三階建てとなっている。これに対し、第２建物部１６は、一階部分１１と二階部分１２とを有する二階建てとなっている。なお、子世帯が第１世帯に相当し、親世帯が第２世帯に相当する。また、第１建物部１５が第１居住部に相当し、第２建物部１６が第２居住部に相当する。
【００３３】
第１建物部１５と第２建物部１６とは、互いに離間しかつ対向した状態で配置されている。二世帯住宅１０の二階部分１２において、第１建物部１５と第２建物部１６との間には中間建物部１７が設けられている。中間建物部１７は、第１建物部１５と第２建物部１６とを互いに連結した状態で設けられている。
【００３４】
第１建物部１５と第２建物部１６との間において中間建物部１７の下方には車両を駐車可能なインナガレージ１８と、そのインナガレージ１８よりも幅広の共用エントランス空間１９とが設けられている。第１建物部１５の一階部分１１には、共用エントランス空間１９に面して子世帯用の玄関口２６が設けられ、第２建物部１６の一階部分１１には、共用エントランス空間１９に面して親世帯用の玄関口（図示略）が設けられている。
【００３５】
続いて、二世帯住宅１０の二階部分１２の間取りについて図２を参照しながら説明する。図２は、二階部分１２の間取りを示す平面図である。
【００３６】
図２に示すように、二階部分１２において、第１建物部１５には、子世帯の居住空間として、廊下２１、リビング２２、ダイニング２３、キッチン２４等が設けられている。廊下２１は、一階部分１１へ延びる階段２７に通じているとともに、三階部分１３へ延びる階段２８に通じている。リビング２２、ダイニング２３及びキッチン２４は、互いに連続した連続空間となっており、その連続空間がＬＤＫ空間２５となっている。ＬＤＫ空間２５は廊下２１に通じている。
【００３７】
廊下２１の側方には収納空間２９が隣接して設けられている。収納空間２９には、例えば収納棚が設置され、物品を収納可能となっている。収納空間２９は、廊下２１から凹んだ凹状空間とされ、廊下２１に向けて開放されている。以下では、廊下２１と収納空間２９とが連続する連続空間を廊下空間３６ともいう。なお、廊下空間３６が「第２空間部」及び「隣接空間」に相当する。
【００３８】
一方、二階部分１２において、第２建物部１６には、親世帯の居住空間として、廊下３１、寝室３２、収納室３３、浴室３４、サニタリ３５等が設けられている。廊下３１は、一階部分１１へ延びる階段３７に通じており、さらに、寝室３２及びサニタリ３５に通じている。
【００３９】
二階部分１２において、中間建物部１７には、子世帯と親世帯とが共用する共用空間として、共用リビング４１と共用バルコニー４２とが設けられている。これにより、本二世帯住宅１０では、子世帯と親世帯とがこれらの共用空間４１，４２で互いに交流を図ることが可能となっている。これら各共用空間４１，４２は、第１建物部１５と第２建物部１６とが対向する方向と直交する方向に並んで配置されている。また、これら各共用空間４１，４２には、第１建物部１５及び第２建物部１６からそれぞれ出入りが可能となっている。
【００４０】
続いて、共用リビング４１周辺の構成について図２に加え図３を用いながら説明する。図３は、共用リビング４１及びその周辺の構成を示す縦断面図であり、図２のＡ−Ａ線断面図に相当する。
【００４１】
図２及び図３に示すように、共用リビング４１には、その床部として、互いに床高さが異なる上床部４４及び下床部４５が設けられている。上床部４４と下床部４５とは各共用空間４１，４２の並ぶ方向と同じ方向に並んでおり、上床部４４が共用バルコニー４２側に、下床部４５が共用バルコニー４２とは反対側に配置されている。上床部４４は、その床面高さが二階部分１２の床面高さと同じとされている。一方、下床部４５は、その床面高さが二階部分１２の床面高さよりも低くされている。つまり、下床部４５は、いわゆるスキップ床部とされている。また、上床部４４と下床部４５との間には階段状の段差床部４６が設けられている。
【００４２】
共用リビング４１の天井部において、上床部４４の上方では、その天井面が二階部分１２の（通常高さの）天井面よりも低い位置に設定されている。つまり、上床部４４の上方では、天井部が下がり天井となっている。また、下床部４５の上方では、その天井面が二階部分１２の（通常高さの）天井面と同じ高さとされている。
【００４３】
共用リビング４１は、第１建物部１５の廊下２１（廊下空間３６）と隣接している。共用リビング４１と廊下２１とは間仕切壁４７により仕切られており、その間仕切壁４７にはそれら両空間２１，４１を連通する出入口４８が設けられている。この出入口４８を通じて廊下２１と共用リビング４１との間の出入りが可能となっている。また、出入口４８には、開き戸からなるドア４９が設けられている。ドア４９には、廊下２１と共用リビング４１とを連通する通気部５５が設けられ、その通気部５５は、例えばドア４９下に形成されたアンダーカットからなる。なお、通気部５５は、アンダーカットに代えて、ドア４９の下部に形成されたガラリであってもよい。また、通気部５５が「通気口」に相当する。
【００４４】
共用リビング４１は、第２建物部１６における階段３７上方の階段上空間５１と隣接している。共用リビング４１と階段上空間５１とは間仕切壁５２により仕切られており、その間仕切壁５２にはそれら両空間４１，５１を連通する出入口５３が設けられている。この出入口５３を通じて階段上空間５１と共用リビング４１との間の出入りが可能となっている。また、出入口５３には、引き戸からなるドア５４が設けられている。
【００４５】
ところで、二世帯住宅１０には、二階部分１２に全館空調システムが設けられている。二階部分１２には、全館空調システムとして、第１建物部１５を空調対象とした子世帯側の空調システムと、第２建物部１６を空調対象とした親世帯側の空調システムとが設けられている。以下においては、これら各空調システムのうち、子世帯側の空調システムについて図４に基づいて説明する。図４は、その空調システムの構成を示す平面図である。
【００４６】
図４に示すように、子世帯側の空調システム６０は、第１建物部１５に設けられたＬＤＫ空間２５に加え、中間建物部１７に設けられた共用リビング４１を空調対象として空調（冷暖房）を行うものとなっている。空調システム６０は、空調空気（暖気及び冷気）を生成する空調装置６１と、空調装置６１に接続された空調ダクト６２と、空調ダクト６２に接続された吹出チャンバ６３とを備える。
【００４７】
空調装置６１は、第１建物部１５に設けられた機械室６５に設置されている。機械室６５は、ＬＤＫ空間２５に隣接して設けられ、機械室６５とＬＤＫ空間２５との間には、空調装置６１をメンテナンスする際に用いられるメンテナンス用の開口部６６が設けられている（図２参照）。この開口部６６には開閉扉６７が設けられ、その開閉扉６７には機械室６５とＬＤＫ空間２５とを連通する通気部６８が設けられている。通気部６８は、開閉扉６７のアンダーカットやガラリ等により構成されている。
【００４８】
空調装置６１は冷房機能及び暖房機能を有する室内機として構成されている。空調装置６１は、機械室６５内の空気を取り込む取込部（図示略）を有しており、その取込部より取り込んだ空気を温度調整することで空調空気（冷房空気又は暖房空気）を生成する。そして、空調装置６１は、その生成した空調空気を空調ダクト６２へ供給する。
【００４９】
空調ダクト６２は、接続ダクト６９を介して空調装置６１と接続されている。接続ダクト６９は、機械室６５において空調装置６１から上方に延びており、その上端部が空調ダクト６２に接続されている。空調ダクト６２は、二階部分１２の天井裏に設置され、その天井裏においてＬＤＫ空間２５と共用リビング４１とに跨がるように延びている。なお、空調ダクト６２が通気ダクトに相当する。
【００５０】
ここで、空調ダクト６２の設置構成について図４に加えて図５及び図６を参照しながら説明する。図５は、下がり天井を形成する天井面材の配置を示す平面図である。図６は空調ダクト６２の設置構成を拡大して示す縦断面図である。なお、図６は図３の領域Ｂ内を拡大して示した縦断面図となっている。
【００５１】
図４〜図６に示すように、二階部分１２の天井部には、空調ダクト６２の配設経路に沿って下がり天井を形成する天井面材７２が設けられている。天井面材７２は、二階部分１２において通常高さに配設された天井面材７３よりも低い位置に配置されている。これら各天井面材７２，７３はいずれも石膏ボードからなる。天井面材７２の上方には天井裏空間７４が形成されている。天井裏空間７４は、各天井面材７２，７３の間に形成され、この天井裏空間７４に空調ダクト６２が配設されている。なお、図４及び図６では便宜上、各天井面材７２，７３のうち、天井面材７２についてはドットハッチを付して示しており、天井面材７３については図示を省略している。
【００５２】
空調ダクト６２の側面部には、吹出チャンバ６３が接続されている。吹出チャンバ６３は、空調ダクト６２において複数箇所に設けられている。吹出チャンバ６３には、ＬＤＫ空間２５に対して設けられた複数の吹出チャンバ６３ａ〜６３ｄと、共用リビング４１に対して設けられた一の吹出チャンバ６３ｅとがある。
【００５３】
各吹出チャンバ６３ａ〜６３ｅは、各天井面材７２，７３を上下に繋ぐ段差壁部７６に設けられている（図５参照）。段差壁部７６には厚み方向に貫通する開口部７７が形成され、その開口部７７に吹出チャンバ６３が挿通された状態で設けられている。また、各吹出チャンバ６３は、空調空気を横向きに吹き出す吹出口６４を有している。
【００５４】
空調ダクト６２を流れる空調空気は各吹出チャンバ６３ａ〜６３ｅの吹出口６４より空調対象であるＬＤＫ空間２５及び共用リビング４１にそれぞれ吹き出される。これにより、その吹き出された空調空気により、ＬＤＫ空間２５及び共用リビング４１の空調（冷暖房）が行われる。
【００５５】
ここで本空調システム６０では、循環式の空調システムが採用されており、ＬＤＫ空間２５及び共用リビング４１へ供給された空調空気が機械室６５に還気として還流する（戻る）ようになっている。以下、かかる空調空気の流れについて図７に基づいて説明する。なお、図７は、二階部分１２における空気の流れを示す平面図である。また、図７では便宜上、空調ダクト６２を含む天井部の図示を省略している。
【００５６】
図７に示すように、吹出チャンバ６３ｅより共用リビング４１に供給された空調空気は、通気部５５を通じて廊下２１（廊下空間３６）に流れ込み、その後廊下２１からＬＤＫ空間２５へと流れる。ＬＤＫ空間２５へ流れた空気は、各吹出チャンバ６３ａ〜６３ｄよりＬＤＫ空間２５に供給された空調空気とともに、通気部６８を通じて機械室６５に流れ込む。そして、空調装置６１は、その機械室６５へ流れ込んだ空気を取り込み空調空気を生成する。このように、空調システム６０は、住宅内において空気を循環させながら空調を行う循環式のシステムとなっている。
【００５７】
なお、吹出チャンバ６３ｅより共用リビング４１に吹き出された空調空気が機械室６５（ひいては空調装置６１）へと還流する還流経路が、特許請求の範囲に記載の「還流経路」に相当する。
【００５８】
共用リビング４１から機械室６５へと還流する空調空気は、上述したように、まず共用リビング４１から廊下空間３６へドア４９下の通気部５５（アンダーカット）を通じて流れ込む。ただ、この場合、通気部５５（アンダーカット）の開口面積によっては通気部５５を通じた通気量を十分に確保できない場合が想定されうる。
【００５９】
そこで、その場合、ドア４９下の通気部５５（アンダーカット）の上下幅を大きくして通気部５５の開口面積を大きくすることで、共用リビング４１から廊下空間３６への通気量を確保することが考えられる。しかしながら、その場合、通気部５５を通じて共用リビング４１と廊下空間３６との間で音漏れが生じ易くなり、遮音性能の低下が懸念される。
【００６０】
そこで、本実施形態では、この点に鑑みて、共用リビング４１から廊下空間３６に空調空気を導くための通気構造を、空調ダクト６２の配設スペースである下がり天井上の天井裏空間７４を利用して別途設けている。つまり、本実施形態では、ドア４９下の通気部５５に加え、さらに上記天井裏の通気構造を通じて共用リビング４１から廊下空間３６に空調空気を導くようにしている。本実施形態では、かかる点に特徴を有しており、以下においては、その天井裏の通気構造について図４及び図６に加え図８を用いながら説明する。なお、図８は（ａ）が下がり天井上の天井裏空間７４に設けられた通気構造の構成を示す平面図であり、（ｂ）が同構成を示す縦断面図である。
【００６１】
図４、図６及び図８に示すように、廊下空間３６と共用リビング４１との間には上述した間仕切壁４７が設けられ、その間仕切壁４７を挟んだ両側にはそれぞれ下がり天井を形成する天井面材７２が設けられている。これら各天井面材７２はいずれも同じ高さ位置に配置され、以下においては各天井面材７２のうち共用リビング４１の上方に設けられた天井面材７２の符号にａを付し、廊下空間３６の上方に設けられた天井面材７２の符号にｂを付す。なお、天井面材７２ａが第１天井面材に相当し、天井面材７２ｂが第２天井面材に相当する。
【００６２】
各天井面材７２（７２ａ，７２ｂ）の上方には天井裏空間７４が形成されている。天井面材７２ａの上方には天井裏空間７４ａが形成され、天井面材７２ｂの上方には天井裏空間７４ｂが形成されている。なお、天井裏空間７４ａが第１天井裏空間に相当し、天井裏空間７４ｂが第２天井裏空間に相当する。
【００６３】
空調ダクト６２は、各天井裏空間７４ａ，７４ｂに跨がって延びている。空調ダクト６２は、間仕切壁４７と直交する方向に延びており、その延びている方向がダクト延在方向に相当する。ちなみに、本実施形態では、間仕切壁４７が天井面材７２よりも上方に延びて各天井裏空間７４ａ，７４ｂを互いに仕切っている（図８参照）。そして、空調ダクト６２は、その間仕切壁４７を貫通した状態で配設されている。
【００６４】
なお、図示は省略するが、間仕切壁４７は、壁フレームと、壁フレームを挟んだ両側に設けられた一対の壁面材とを有して構成され、その壁フレームの上端部が天井面材７３に固定されている。この場合、間仕切壁４７において天井面材７２よりも上方部分は少なくとも壁フレームを有していればよい。また、間仕切壁４７の上端部を天井面材７２の高さ位置付近に設定し、各天井裏空間７４ａ，７４ｂが間仕切壁４７により仕切られない構成としてもよい。
【００６５】
空調ダクト６２が各天井裏空間７４ａ，７４ｂに跨がって配設されている状態で、各天井面材７２ａ，７２ｂはその一部が空調ダクト６２の同じ側面側に延出している。これら延出した各天井面材７２ａ，７２ｂの延出部７８ａ，７８ｂは間仕切壁４７を挟んで隣接しており、そのうち延出部７８ｂについては廊下空間３６の収納空間２９の上方に配置されている。
【００６６】
各天井裏空間７４ａ，７４ｂにおいて各々の延出部７８ａ，７８ｂ上には空調ダクト６２が配設されていない余剰スペース７９ａ，７９ｂが形成されている。これらの余剰スペース７９ａ，７９ｂは空調ダクト６２の同じ側面側に形成され、その幅が空調ダクト６２の幅よりも小さい幅、詳しくは空調ダクト６２の幅の半分以下の幅となっている。
【００６７】
各天井裏空間７４ａ，７４ｂの余剰スペース７９ａ，７９ｂには、それら両スペース７９ａ，７９ｂに跨がって通気部材８０が設けられている。通気部材８０は、余剰スペース７９ａに設けられた第１チャンバ８１と、余剰スペース７９ｂに設けられた第２チャンバ８２と、それら各チャンバ８１，８２を接続する接続管部８３とを備える。
【００６８】
第１チャンバ８１と第２チャンバ８２とは間仕切壁４７を挟んで隣接配置されている。詳しくは、各チャンバ８１，８２はいずれも間仕切壁４７に当接した状態で配置されている。この場合、各チャンバ８１，８２は空調ダクト６２の側面側でダクト延在方向に並んで配置されている。
【００６９】
本実施形態では、第１チャンバ８１と第２チャンバ８２とがいずれも同じ構成を有している。このため、以下においては、これら各チャンバ８１，８２を構成する各部について、それらチャンバ８１，８２間で共通の符号を付し、それら各チャンバ８１，８２の説明をまとめて行うこととする。
【００７０】
第１チャンバ８１及び第２チャンバ８２（以下、略してチャンバ８１，８２という）は、四角箱状に形成され、詳しくは立方体形状の箱状をなしている。チャンバ８１，８２は、金属製の板材により箱状に形成されたチャンバ本体８４と、そのチャンバ本体８４の内周面に重ねて設けられた板状の吸音材８５とを有する。吸音材８５は、例えばグラスウールよりなり、チャンバ本体８４の各内周面にそれぞれ設けられている。したがって、チャンバ８１，８２の内部空間は吸音材８５により囲まれた吸音空間となっている。また、チャンバ８１，８２は、要するに、外層がチャンバ本体８４、内層が吸音材８５からなる二層構造の箱体となっている。
【００７１】
チャンバ８１，８２には、その側面部と下面部とにそれぞれチャンバ８１，８２の内外を連通する孔部８７，８８が形成されている。これら各孔部８７，８８のうち、孔部８７が側面部に、孔部８８が下面部に形成されている。
【００７２】
第１チャンバ８１と第２チャンバ８２とは、互いの孔部８７を向き合わせた状態で天井裏空間７４ａ，７４ｂ（余剰スペース７９ａ，７９ｂ）に配置されている。この場合、各チャンバ８１，８２は天井面材７２ａ，７２ｂ上に載置された状態で配置されている。
【００７３】
接続管部８３は、樹脂材料又は金属材料からなる直管であり、その一端部が第１チャンバ８１の孔部８７に挿入され、その他端部が第２チャンバ８２の孔部８７に挿入されている。これにより、各チャンバ８１，８２が接続管部８３を介して接続されている。なお、接続管部８３は、間仕切壁４７を貫通した状態で設けられている。
【００７４】
上記の通気部材８０は、その内部に各チャンバ８１，８２と接続管部８３とに跨がる通気路８９を有している。通気路８９は、各チャンバ８１，８２の内部空間と接続管部８３の内部空間とにより形成されている。
【００７５】
天井面材７２ａには、第１チャンバ８１の下方位置に貫通孔９１が形成されている。貫通孔９１は、第１チャンバ８１の孔部８８に対応して設けられている。天井面材７２ａには、その貫通孔９１に対して通気グリル９２が取り付けられている。通気グリル９２は、第１チャンバ８１の下面部に接続されている。これにより、第１チャンバ８１の内部空間（ひいては通気部材８０の通気路８９）が通気グリル９２を介して共用リビング４１に通じている。なお、通気グリル９２が第１通気口に相当する。
【００７６】
天井面材７２ｂには、第２チャンバ８２の下方位置に貫通孔９３が形成されている。貫通孔９３は、第２チャンバ８２の孔部８８に対応して設けられている。天井面材７２ｂには、その貫通孔９３に対して通気グリル９４が取り付けられている。通気グリル９４は、第２チャンバ８２の下面部に接続されている。これにより、第２チャンバ８２の内部空間（ひいては通気部材８０の通気路８９）が通気グリル９４を介して廊下空間３６（詳しくは収納空間２９）に通じている。なお、通気グリル９４が第２通気口に相当する。
【００７７】
続いて、上述した下がり天井裏の通気構造の作用について説明する。
【００７８】
上述したように、通気部材８０の通気路８９は共用リビング４１と廊下空間３６とにそれぞれ通じている。このため、吹出チャンバ６３ｅより共用リビング４１に空調空気が吹き出されると、その空調空気がドア４９下の通気部５５を通じて廊下空間３６に導かれるとともに、通気部材８０の通気路８９を通じて廊下空間３６に導かれる（図７及び図８（ｂ）参照）。つまり、本実施形態では、共用リビング４１から機械室６５（ひいては空調装置６１）へ空調空気が還流する還流経路として、通気部５５を通じた経路Ｒ１と、通気路８９を通じた経路Ｒ２とが設けられており、それら両経路Ｒ１，Ｒ２を通じて共用リビング４１から空調装置６１へ空調空気が還流するようになっている。これにより、通気部５５の開口面積を大きくしなくても、共用リビング４１から廊下空間３６への通気量を確保することができ、ひいては共用リビング４１から空調装置６１へ空調空気を好適に還流させることができるようになっている。
【００７９】
以上、詳述した本実施形態の構成によれば、以下の優れた効果が得られる。
【００８０】
上述したように、下がり天井上の天井裏空間７４に設けた通気部材８０の通気路８９を通じて共用リビング４１と廊下空間３６との間で空気の流通を可能としたことで、通気部５５の開口面積を大きくすることなく、両空間３６，４１の間で所望の通気量を確保することができる。これにより、隣接する両空間３６，４１の間で遮音性能の低下を抑制しながら、通気性能を確保することができる。
【００８１】
また、空調ダクト６２が配設される下がり天井上の天井裏空間７４を利用して通気部材８０を配設しているため、かかる天井裏の有効利用を図りながら、上記の効果を得ることができる。
【００８２】
通気部材８０を、通気路８９に面した吸音材８５を有して構成したため、通気路８９を介して伝播する音を吸音材８５により吸収することができる。これにより、遮音性能の向上を図ることができる。
【００８３】
通気部材８０を、通気グリル９２と接続される第１チャンバ８１と、通気グリル９４と接続される第２チャンバ８２と、それら各チャンバ８１，８２を接続する接続管部８３とを有して構成した。この場合、第１チャンバ８１及び第２チャンバ８２をそれぞれ各天井裏空間７４ａ，７４ｂの所定位置に配置し、それら各チャンバ８１，８２を接続管部８３を介して接続することで通気部材８０を構成することができる。つまり、この場合、各チャンバ８１，８２の位置に応じて接続管部８３の長さ等を決めるだけで通気部材８０を構成できるため、通気部材８０を比較的容易に構築することができる。
【００８４】
第１チャンバ８１と第２チャンバ８２とを空調ダクト６２の延在するダクト延在方向に並べて配置したため、通気部材８０を空調ダクト６２に沿って配設することができる。下がり天井上の天井裏空間７４に空調ダクト６２が配設される構成では、天井裏空間７４が空調ダクト６２の配設経路に沿って形成されるが、そのような場合にも、上記構成によれば、通気部材８０を好適に配設することができる。
【００８５】
第１チャンバ８１と第２チャンバ８２とをそれぞれ各天井裏空間７４ａ，７４ｂの境界部（詳しくは間仕切壁４７）に隣接配置したため、それら両チャンバ８１，８２を接続する接続管部８３の長さを極力短くすることができ、ひいては通気路８９の長さを極力短くすることができる。これにより、通気性能の向上を図ることができる。
【００８６】
空調空気の還流経路として、ドア４９下の通気部５５（アンダーカット）を経由する経路Ｒ１と、通気路８９を経由する経路Ｒ２とを設けた。この場合、通気路８９は天井裏に設けられているのに対し通気部５５は床側に設けられているため、空調空気（冷気）が床側を流れ易い冷房時、空調空気（暖気）が天井側を流れ易い暖房時の双方にて共用リビング４１から廊下空間３６に空調空気を好適に導くことができる。
【００８７】
共用リビング４１を、スキップ床部（下床部４５）を有した比較的気積の大きい空間としたため、共用リビング４１に空調空気を供給し空調を行うに際しては、空調空気の供給量が多くなると考えられる。この場合、それに伴い、供給された空調空気が空調装置６１へ還流する際の空気量も多くなるため、共用リビング４１から廊下空間３６へ流れる空気の量も多くなると考えられる。そのため、その通気量を確保するために、ドア４９下に形成された通気部５５（アンダーカット）の開口面積を大きくするとなると、アンダーカットの開口面積（上下幅）を通常の開口面積（上下幅）の２〜３倍程度大きくする必要が生じうる。そうすると、遮音性能が大きく低下してしまうおそれがある。その点、上記の実施形態では、かかる共用リビング４１と廊下空間３６との間の通気を行うに際し、上述した天井裏の通気構造を適用しているため、遮音性能が大きく低下するのを回避しながら、通気量を確保することができる。
【００８８】
子世帯側の居住空間である廊下空間３６と、子世帯と親世帯との共用空間である共用リビング４１とが隣接する構成にあって、それら両空間３６，４１の間で通気を行うに際し、上述した天井裏の通気構造を適用した。この場合、遮音性能が特に求められる共用リビング４１と廊下空間３６（ひいては第１建物部１５）との間で遮音性能が低下するのを抑制しながら通気を確保することができる。
【００８９】
本発明は上記実施形態に限らず、例えば次のように実施されてもよい。
【００９０】
・上記実施形態では、通気部材８０を各チャンバ８１，８２とそれら両チャンバ８１，８２を接続する接続管部８３とを有して構成したが、これを変更して、通気部材を一のダクト部材により構成してもよい。また、上記実施形態では、各チャンバ８１，８２をいずれも同じ構成としたが、各チャンバ８１，８２の構成を互いに異ならせてもよい。
【００９１】
・上記実施形態では、各チャンバ８１，８２が吸音材８５を有していたが、各チャンバ８１，８２のいずれか一方又は両方が吸音材を有しない構成としてもよい。その場合でも、遮音性能の低下を抑制しながら通気性能を確保することができる。また、チャンバ８１，８２に吸音材８５を設けることに代え又は加えて、接続管部８３の内周面に吸音材（例えば管状の吸音材）を設けるようにしてもよい。
【００９２】
・上記実施形態では、各チャンバ８１，８２を各天井裏空間７４ａ，７４ｂの境界部（間仕切壁４７）に隣接させて配置したが、各チャンバ８１，８２を上記境界部から離間させて配置してもよい。また、各チャンバ８１，８２は必ずしもダクト延在方向に並べて配置する必要はない。例えば、各チャンバ８１，８２のうち、第１チャンバ８１を空調ダクト６２の側面側ではなく（換言すると余剰スペース７９ａではなく）空調ダクト６２の先端側に設けることが考えられる。その場合、各チャンバ８１，８２を接続する接続管部８３をフレキシブル管等により構成し、空調ダクト６２を迂回するように配設することが考えられる。
【００９３】
・上記実施形態では、共用リビング４１から空調装置６１への還流経路として、ドア４９下の通気部５５を経由する経路Ｒ１と、通気路８９を経由する経路Ｒ２とを設けたが、ドア４９下に通気部５５を設けずに、還流経路を通気路８９を経由する経路Ｒ２のみとしてもよい。その場合、遮音性能の向上を図ることができる。
【００９４】
・上記実施形態では、空調空間である共用リビング４１をスキップ床部（下床部４５）を有して形成したが、共用リビング４１を通常高さの床部（上床部４４）のみ有して形成してもよい。
【００９５】
・上記実施形態では、隣接する共用リビング４１及び廊下空間３６の間で通気を行うに際し本発明の通気構造を適用したが、それ以外の隣接する屋内空間の間で通気を行うに際し本発明を適用してもよい。例えば、間仕切壁５２を隔てて隣接する共用リビング４１及び階段上空間５１の間で通気を行う際に本発明を適用することが考えられる。
【００９６】
・上記実施形態では、空調ダクト６２が配設される下がり天井上の天井裏空間７４を利用して通気部材８０を配設し、その通気部材８０の通気路８９を空調空気が還流する際の経路として用いたが、これを変更してもよい。例えば、二世帯住宅１０に換気システムが設けられる場合には、屋外の空気を屋内空間に搬送する換気ダクト（通気ダクトに相当）が設けられる場合がある。その場合、その換気ダクトが下がり天井裏の天井裏空間７４に配設されることが考えられる。そこで、そのような場合に、その換気ダクトが配設される天井裏空間７４に通気部材８０を配設し、その通気路８９を共用リビング４１と廊下空間３６との間を経由して屋内の空気を屋外へ排出する際の経路（換気経路）として用いることが考えられる。この場合にも、それら両空間３６，４１の間で遮音性能が低下するのを抑制しながら通気性能を確保することができる。
【００９７】
・上記実施形態では、二世帯住宅１０に本発明の通気構造を適用したが、一戸建ての住宅等、二世帯住宅以外の建物に本発明の通気構造を適用してもよい。
【符号の説明】
【００９８】
１０…建物としての二世帯住宅、１５…第１居住部としての第１建物部、１６…第２居住部としての第２建物部、３６…第２空間部及び隣接空間としての廊下空間、４１…第１空間部、共用空間及び空調空間としての共用リビング、４５…スキップ床部としての下床部、４７…間仕切壁、４８…出入口、４９…ドア、５５…通気口としての通気部、６１…空調装置、６２…通気ダクトとしての空調ダクト、７２ａ…第１天井面材としての天井面材、７２ｂ…第２天井面材としての天井面材、７４ａ…第１天井裏空間としての天井裏空間、７４ｂ…第２天井裏空間としての天井裏空間、８０…通気部材、８１…第１チャンバ、８２…第２チャンバ、８３…接続管部、８５…吸音材、８９…通気路、９２…第１通気口としての通気グリル、９４…第２通気口としての通気グリル。
【図１】
2018016997.tif 000003
【図２】
2018016997.tif 000004
【図３】
2018016997.tif 000005
【図４】
2018016997.tif 000006
【図５】
2018016997.tif 000007
【図６】
2018016997.tif 000008
【図７】
2018016997.tif 000009
【図８】
2018016997.tif 000010